(57)【特許請求の範囲】
【請求項１】
室内側壁面に当沿わされる背面構造と、これに対向する正面構造と、周側を構成する側面構造とを備えた箱形のケーシングと、このケーシングに収納され、伝熱性を有する仕切板間に間隔を保持する間隔保持部材が介在され、一層毎に前記間隔保持部材による一次流体通路と二次流体通路が交叉する積層型で六面体をなす熱交換器とを備え、前記熱交換器は、その仕切板の平面がケーシングの前記背面構造及び前記正面構造に略平行するように組込み、前記ケーシングには、その背面構造に室外に連絡させうる外気取入口と室内空気出口とを設け、その側面構造には外気室内出口と室内空気取入口とを設け、前記外気取入口から前記熱交換器の二次流体通路を経て前記外気室内出口に至る一連の通風路と、前記室内空気取入口から前記熱交換器の一次流体通路を経て前記室内空気出口に至る一連の通風路とを互いに独立状態に画成し、室外に設けられる給排気機能を持つ送風ユニットに前記各通風路をそれぞれ接続できるようにした換気用熱交換ユニット。
【請求項２】
請求項１に記載の換気用熱交換ユニットであって、外気取入口と室内空気出口とを、丸形開口を中央において仕切りで画成した換気用熱交換ユニット。
【請求項３】
請求項２に記載の換気用熱交換ユニットであって、熱交換器をケーシングの片側に寄せて収め、その熱交換器の一次流体通路と二次流体通路とを隔てる一稜角線に対応して外気取入口と室内空気出口との仕切りを配置した換気用熱交換ユニット。
【請求項４】
請求項２に記載の換気用熱交換ユニットであって、熱交換器をケーシングの上側に寄せて収め、その熱交換器の一次流体通路と二次流体通路とを隔てる下側の稜角線に対応して外気取入口と室内空気出口との仕切りを配置した換気用熱交換ユニット。
【請求項５】
請求項２に記載の換気用熱交換ユニットであって、熱交換器をケーシングの下側に寄せて収め、その熱交換器の一次流体通路と二次流体通路とを隔てる上側の稜角線に対応して外気取入口と室内空気出口との仕切りを配置した換気用熱交換ユニット。
【請求項６】
請求項１に記載の換気用熱交換ユニットであって、同形同大の二個の熱交換器をケーシングの両端側に中央に間隔をおいて収め、この各熱交換器の間に外気取入口と室内空気出口とを設けた換気用熱交換ユニット。
【請求項７】
請求項１〜請求項６までのいずれかに記載の換気用熱交換ユニットであって、外気取入口と室内空気出口とに送風ユニットによる風圧で開く開閉シャッターを設けた換気用熱交換ユニット。
【発明の詳細な説明】
【０００１】
【発明の属する技術分野】
本発明は、熱交換器を主体とする室内側に設けられる熱交換ユニットと、給排気送風機を主体とする室外側に設けられる送風ユニットとにより給排気による熱交換換気を行う熱交換換気装置における換気用熱交換ユニットに関するものである。
【０００２】
【従来の技術】
熱交換換気を行う熱交換換気装置は、基本的には六面体の本体箱体に室内から室外（多くは屋外）へ向う排気流を排気通路に形成する排気用送風機と、室外（多くは屋外）から室内へ向う給気流を給気通路に形成する給気用送風機と、排気通路と給気通路の経路の一部を構成し、給排気流間で連続的な熱交換を行う熱交換器とを組込んだ構成が採られている。この中には、熱交換器を主体とする室内側に設けられる熱交換ユニットと、給排気用送風機を主体とする室外側に設けられる送風ユニットとを室内外を仕切る壁体を貫いて接続した構成のものがある（例えば、特許文献１参照）。
【０００３】
【特許文献１】
特開平６―３４１６８８号公報（第１図）
【０００４】
【発明が解決しようとする課題】
熱交換器を主体とする室内側に設けられる熱交換ユニットと、給排気用送風機を主体とする室外側に設けられる送風ユニットとを室内外を仕切る壁体を貫いて接続した構成の従来の熱交換換気装置において、熱交換器を壁体を貫く風路中に設け、単純な構成部品を壁の室内側に設けるようにして、室内へ突出する化粧カバーを薄くしているが、熱交換機能及び換気機能が低いといった問題点がある。即ち、熱交換機能の主体となる熱交換器を壁体を貫く風路中に収込むため、熱交換器を大きくできず、また、壁体を貫く風路の断面積も小さくなって圧力損失が大きいため給排気風量も多くできない。
【０００５】
本発明は、上記した従来の問題点を解消するためになされたものであって、その目的とするところは、満足できる熱交換機能を果たし得る室内への突出し寸法の小さな換気用熱交換ユニットを得ることであり、換気風量の低下を来さない換気用熱交換ユニットを得ることであり、その換気用熱交換ユニットの機能の拡充を図ることである。
【０００６】
【課題を解決するための手段】
前記課題を達成するためにこの発明は、室内側壁面に当沿わされる背面構造と、これに対向する正面構造と、周側を構成する側面構造とを備えた箱形のケーシングと、このケーシングに収納され、伝熱性を有する仕切板間に間隔を保持する間隔保持部材が介在され、一層毎に間隔保持部材による一次流体通路と二次流体通路が交叉する積層型で六面体をなす熱交換器とを備えた換気用熱交換ユニットについて、その熱交換器を、仕切板の平面がケーシングの背面構造及び正面構造に略平行するように組込み、ケーシングには、その背面構造に室外に連絡させうる外気取入口と室内空気出口とを設け、その側面構造に外気室内出口と室内空気取入口とを設け、外気取入口から熱交換器の二次流体通路を経て外気室内出口に至る一連の通風路と、室内空気取入口から熱交換器の一次流体通路を経て室内空気出口に至る一連の通風路とを互いに独立状態に画成し、室外に設けられる給排気機能を持つ送風ユニットに各通風路をそれぞれ接続できるようにする手段を採用する。
【０００７】
【発明の実施の形態】
実施の形態１．
図１は本実施の形態の熱交換換気装置を設置状態で示した横断平面図であり、図２は熱交換換気装置における室内側に設けられる換気用熱交換ユニットの正面構成図である。この熱交換換気装置は、図１に示すように、室内外を仕切る壁体１の室内側に取付けられる換気用熱交換ユニット２と、壁体１の室外側に取付けられる給排気機能を持つ送風ユニット３と、壁体１を貫き送風ユニット３と換気用熱交換ユニット２とを連絡する風路構造４とから構成されている。
【０００８】
換気用熱交換ユニット２は、室内側壁面に当沿わされる背面構造５と、これに対向する正面構造６と、周側を構成する側面構造７とを備えた箱形のケーシング８に熱交換器９が収納された構成である。熱交換器９は、図３に示すように伝熱性と通湿性を併持つ仕切板１０間に間隔を保持する間隔保持部材１１が介在され、一層毎に間隔保持部材１１による一次流体通路１２と二次流体通路１３が交叉する積層型で六面体をなしていて、ケーシング８の略上半分に三本の稜角線１４が内接する状態にケーシング８の正面構造６の取外しにより着脱できるように収納されている。熱交換器９の一次流体通路１２と二次流体通路１３は、ともにケーシング８の正面構造６と背面構造５とに略平行になっている。即ち、熱交換器９は、その仕切板１０の平面がケーシング８の背面構造５及び正面構造６に略平行となるように組込まれ、その下側の稜角線１４の左右の面に一次流体通路１２の出口と、二次流体通路１３の入口が臨んでいる。
【０００９】
ケーシング８には、その熱交換器９の下側の背面構造５に、外気取入口１５と室内空気出口１６とが丸形開口を中央の仕切り１７で左右に区画して設けられている。外気取入口１５と室内空気出口１６を仕切る仕切り１７は、上端が熱交換器９の下部の稜角線１４に密接し、下端がケーシング８の側面構造７の下部に連結している。ケーシング８の側面構造７の上部左右には、熱交換器９の一次流体通路１２の入口が臨む面に対応して室内空気取入口１８が開設され、熱交換器９の二次流体通路１３の出口が臨む面に対応して外気室内出口１９が開設されている。これによってケーシング８内には、室内空気取入口１８から熱交換器９の一次流体通路１２を経て、室内空気出口１６に至る通風路と、外気取入口１５から熱交換器９の二次流体通路１３を経て、外気室内出口１９に至る通風路とが互いに独立状態に画成される。
【００１０】
送風ユニット３は、外気を吸込み吹出口２０から吹出す給気送風機２１と、吸込口２２から吸込んだ空気を吹出口から吹出す排気送風機２３をケーシングに収めた構成で、室外に設けられ、室内に設けられた換気用熱交換ユニット２と風路構造４としての二層管で連絡される。二層管は、管体を仕切構造で軸方向に二分したもので、壁体１を貫通して設けられる。送風ユニット３の給気送風機２１の吹出口２０は、この二層管の一方の風路を介して換気用熱交換ユニット２の外気取入口１５に接続され、排気送風機２３の吸込口２２は二層管の他方の風路を介して換気用熱交換ユニット２の室内空気出口１６に接続される。
【００１１】
この熱交換換気装置は、送風ユニット３で形成される排気流と給気流とが換気用熱交換ユニット２の熱交換器９において連続的に熱交換され、室内に設けられた換気用熱交換ユニット２において熱交換換気が行われる。室内には音源となる構成を持たない換気用熱交換ユニット２のみが設けられるので、静粛な熱交換換気が実現する。換気用熱交換ユニット２は、熱交換器９が壁面に対してその対角線が直角及び平行となる組込み方でなく、仕切板１０が壁面と略平行になる組込み方であるため、同一能力の熱交換器９ではケーシング８の壁面からの出寸法は小さくなり、仕切板１０の平面積を広くした熱交換器９を組込んでも壁面からの出寸法は大きくならない。また、送風ユニット３と換気用熱交換ユニット２を連絡する風路は、圧力損失の少ない風路として確保できるため、換気風量を大きくしても騒音の発生は大きくならない。
【００１２】
そして、送風ユニット３及び二層管の配管方向を９０度ずつ変えることにより、換気用熱交換ユニット２の外気室内出口１９と室内空気取入口１８の方向を上側左右方向、上下方向、下側左右方向等に変えることができ、取付位置に応じて外気の吹出し方向と室内空気の吸込み方向を調整することができる。例えば、熱交換器９を上側にした形態で取付けた場合には、熱交換器９に生じるドレンを熱交換器９の下に位置する二層管を通じて室外へ排出できるようにすることができる。また、熱交換器９を下側にした場合は、取付位置が天井近くの場合でも天井から外気室内出口１９と室内空気取入口１８を離すことができ、適切な換気機能を果たさせることができる。なお、換気用熱交換ユニット２の外気取入口１５と室内空気出口１６については、左右対称位置に個別に設けてもよく、この場合には、換気用熱交換ユニット２と送風ユニット３との連絡は、壁体１を貫く二本のダクトで行われる。
【００１３】
実施の形態２．
図４に示す本実施の形態は、実施の形態１で示した換気用熱交換ユニット２における熱交換器９を、同形同大の二個としてケーシング８の両端に間隔をおいて収めたものであり、熱交換器９のケーシング８に対する配置及びケーシング８の外気取入口１５と室内空気出口１６との配置以外は、実施の形態１のものと同じである。従って、実施の形態１のものと同じ部分については、実施の形態１のものと同じ符号を用いそれらについての説明は省略する。
【００１４】
本実施の形態の熱交換換気装置は、実施の形態１のものと同様に室内に取付けられる換気用熱交換ユニット２と、室外に取付けられる送風ユニット３と、これらを連絡する二層管とから構成されている。換気用熱交換ユニット２は、箱形のケーシング８に同形同大の二個の熱交換器９，９が両端側に収められている。熱交換器９と熱交換器９の間には間隔があり、この部分のケーシング８の背面構造５に外気取入口１５と室内空気出口１６とが設けられている。各熱交換器９，９の一次流体通路１２と二次流体通路１３とは背面構造５と略平行になっていて、外気取入口１５からの外気は二個の熱交換器９，９の二次流体通路１３に分流してケーシング８に設けられた二個の外気室内出口１９から吹出される。また、ケーシング８の二個の室内空気取入口１８から吸込まれる室内空気は二個の熱交換器９，９の一次流体通路１２を通り、合流して室内空気出口１６から吹出される。
【００１５】
送風ユニット３及び二層管については、実施の形態１のものと同じである。この熱交換換気装置の換気用熱交換ユニット２は、全体としての熱交換機能は保持したまま熱交換器９，９の積層方向の厚さを半分にできるため、室内への突出し寸法もそれだけ小さくなる。これ以外の機能は実施の形態１のものと同じである。
【００１６】
実施の形態３．
図５に示す本実施の形態は、実施の形態１や実施の形態２で示した換気用熱交換ユニット２に開閉シャッターを設けたものであり、開閉シャッターに係る構成以外は、実施の形態１や実施の形態２のものと同じである。従って、実施の形態１や実施の形態２のものと同じ部分については、それらのものと同じ符号を用いその説明は省略する。
【００１７】
本実施の形態の熱交換換気装置は、図５に示すように換気用熱交換ユニット２の室内空気出口１６と外気取入口１５とにそれぞれ送風ユニット３による風圧で開く開閉シャッター２４が設けられている。各開閉シャッター２４は、通常はバネで閉じ側へ付勢され、送風ユニット３の運転によりバネの付勢に抗して開放する。この開閉シャッター２４により、非運転時には、室内外の連通を遮断することができ、外風等の室内への侵入を防ぐことができる。
【００１８】
【発明の効果】
本発明によれば、満足できる熱交換機能を果たし得る室内への突出し寸法の小さな換気用熱交換ユニットが得られる。
【図面の簡単な説明】
【図１】  実施の形態１の熱交換換気装置を設置状態で示す横断面図である。
【図２】  実施の形態１の熱交換換気装置の換気用熱交換ユニットを示す正面構成図である。
【図３】  実施の形態１の熱交換器を示す斜視図である。
【図４】  実施の形態２の熱交換換気装置の換気用熱交換ユニットを示す正面構成図である。
【図５】  実施の形態３の熱交換換気装置の換気用熱交換ユニットを示す正面構成図である。
【符号の説明】
２  換気用熱交換ユニット、  ３  送風ユニット、  ４  風路構造、  ５  背面構造、  ６  正面構造、  ７  側面構造、  ８  ケーシング、  ９  熱交換器、  １０  仕切板、  １１  間隔保持部材、  １２  一次流体通路、  １３  二次流体通路、  １４  稜角線、  １５  外気取入口、  １６  室内空気出口、  １８  室内空気取入口、  １９  外気室内出口、  ２４  開閉シャッター。
【図１】
0003714318.tif 000002
【図２】
0003714318.tif 000003
【図３】
0003714318.tif 000004
【図４】
0003714318.tif 000005
【図５】
0003714318.tif 000006